(57)【要約】【課題】ネットワークを介して制御対象とする電子機器の特定作業を容易化すること。【解決手段】情報処理端末は、ネットワークを介して通信可能な表示機器の識別情報を検索する検索部と、検索された表示機器に、当該表示機器の識別情報の表示要求を送信する送信部と、前記表示要求に応じた表示機器の表示部に表示された前記識別情報の画像を撮像する撮像部と、前記画像より前記識別情報を抽出する抽出部とを有する。【選択図】図３
2014068206.tif 000002
【特許請求の範囲】
【請求項１】
ネットワークを介して通信可能な表示機器の識別情報を検索する検索部と、
検索された表示機器に、当該表示機器の識別情報の表示要求を送信する送信部と、
前記表示要求に応じた表示機器の表示部に表示された前記識別情報の画像を撮像する撮像部と、
前記画像より前記識別情報を抽出する抽出部とを有する情報処理端末。
【請求項２】
前記識別情報を含む画像データを生成する生成部を有し、
前記送信部は、前記画像データの表示要求を送信する請求項１記載の情報処理端末。
【請求項３】
前記抽出部によって抽出される前記識別情報に係る表示機器より、当該表示機器の属性情報を取得する取得部と、
取得された属性情報を前記撮像部によって撮像される画像に合成して当該情報処理端末に表示させる表示制御部とを有する請求項１又は２記載の情報処理端末。
【請求項４】
前記送信部は、前記抽出部によって抽出される前記識別情報に係る表示機器に対して、ネットワークを介して通信可能な記憶装置が記憶するデータの表示要求を送信する請求項１乃至３いずれか一項記載の情報処理端末。
【請求項５】
ネットワークを介して通信可能な表示機器の識別情報を検索し、
検索された表示機器に、当該表示機器の識別情報の表示要求を送信し、
前記表示要求に応じた表示機器の表示部に表示された前記識別情報の画像を撮像し、
前記画像より前記識別情報を抽出する処理を情報処理端末が実行する情報処理方法。
【請求項６】
情報処理端末と、前記情報処理端末とネットワークを介して通信可能な表示機器とを含む機器制御システムであって、
ネットワークを介して通信可能な表示機器の識別情報を検索する検索部と、
検索された表示機器に、当該表示機器の識別情報の表示要求を送信する送信部と、
前記表示要求に応じた表示機器の表示部に表示された前記識別情報の画像を撮像する撮像部と、
前記画像より前記識別情報を抽出する抽出部とを有する機器制御システム。
【発明の詳細な説明】
【技術分野】
【０００１】
本発明は、情報処理端末、情報処理方法、及び機器制御システムに関する。
【背景技術】
【０００２】
従来、家庭内における電子機器の相互接続を可能とするための仕組みが検討されている。ＤＬＮＡ（Digital Living Network Alliance）のガイドライン（以下、「ＤＬＮＡガイドライン」という。）では、斯かる仕組みを実現するための仕様が定められている。
【０００３】
ＤＬＡＮガイドラインでは、電子機器を、その機能に応じてデバイスクラスという概念によって分類している。デバイスクラスの一部として、ＤＭＳ（Digital Media Server）、ＤＭＲ（Digital Media Renderer）、及びＤＭＣ（Digital Media Controller）が有る。
【０００４】
ＤＭＳは、コンテンツを保存し、当該コンテンツをネットワークに接続されたＤＭＲ等に配信する電子機器である。ＤＭＲは、コンテンツを再生する電子機器である。ＤＭＣは、ネットワークに接続されている電子機器の検索、ＤＭＳに保存されているコンテンツの検索、及びＤＭＲに対するコンテンツの再生指示等を行う電子機器である。
【０００５】
例えば、ユーザは、ＤＭＣとしての情報処理端末１０を利用して、ネットワーク上に接続されている電子機器を検索し、検索された電子機器の中から、コンテンツの再生先とするＤＭＲとしての電子機器や、再生先に対してコンテンツを転送するＤＭＳとしての電子機器等を選択する。その結果、ＤＭＳに保存されているコンテンツが、例えば、ＤＭＲとしてのテレビに表示される。
【先行技術文献】
【特許文献】
【０００６】
【特許文献１】特開２００９−１４７５１７号公報
【特許文献２】特開平６−５４２２０号公報
【発明の概要】
【発明が解決しようとする課題】
【０００７】
しかしながら、例えば、電子機器の検索結果の一覧として表示される各電子機器の名称は、ユーザにとって、実際の電子機器との対応関係の把握が困難な情報である場合がある。例えば、型番が名称として表示される場合、電子機器に不慣れなユーザは、各型番がいずれの電子機器に対応するのかを把握するのは困難である。また、型番が同じ電子機器が複数設置されている環境では、操作対象としたい電子機器に対応する名称を一覧の中から特定するのは困難である。
【０００８】
そこで、一側面では、ネットワークを介して制御対象とする電子機器の特定作業を容易化することを目的とする。
【課題を解決するための手段】
【０００９】
一つの案では、情報処理端末は、ネットワークを介して通信可能な表示機器の識別情報を検索する検索部と、検索された表示機器に、当該表示機器の識別情報の表示要求を送信する送信部と、前記表示要求に応じた表示機器の表示部に表示された前記識別情報の画像を撮像する撮像部と、前記画像より前記識別情報を抽出する抽出部とを有する。
【発明の効果】
【００１０】
一態様によれば、ネットワークを介して制御対象とする電子機器の特定作業を容易化することができる。
【図面の簡単な説明】
【００１１】
【図１】第一の実施の形態における機器制御システムの構成例を示す図である。
【図２】第一の実施の形態における情報処理端末のハードウェア構成例を示す図である。
【図３】第一の実施の形態の情報処理端末及び表示機器の機能構成例を示す図である。
【図４】第一の実施の形態の機器制御システムにおいて実行される処理手順の一例を説明するためのシーケンス図である。
【図５】機器検索メッセージの一例を示す図である。
【図６】応答メッセージの一例を示す図である。
【図７】表示機器による機器識別情報の表示例を示す図である。
【図８】情報処理端末のデジタルカメラによって機器識別情報が撮像されている状態の一例を示す図である。
【図９】詳細情報の例を示す図である。
【図１０】撮像画像に対する詳細情報の合成例を示す図である。
【図１１】第一の実施の形態の情報処理端末が実行する処理手順の一例を説明するためのフローチャートである。
【図１２】第二の実施の形態の情報処理端末及び表示機器の機能構成例を示す図である。
【図１３】第二の実施の形態の機器制御システムにおいて実行される処理手順の一例を説明するためのシーケンス図である。
【図１４】第二の実施の形態の情報処理端末が実行する処理手順の一例を説明するためのフローチャートである。
【図１５】機器識別情報の表示機能を有することを示す応答メッセージの一例を示す図である。
【発明を実施するための形態】
【００１２】
以下、図面に基づいて本発明の実施の形態を説明する。図１は、第一の実施の形態における機器制御システムの構成例を示す図である。図１の機器制御システム１において、情報処理端末１０は、アクセスポイント４０を介して、ネットワークＮ１に接続されているサーバ機器３０、表示機器２０ａ及び２０ｂ等の電子機器等と通信可能とされている。ネットワークＮ１は、無線ＬＡＮ（Local Area Network）等、無線のネットワークでもよいし、有線のＬＡＮ（Local Area Network）等であってもよい。なお、ルータ等、ネットワークの構築に通常必要とされるネットワーク機器は、便宜上省略されている。
【００１３】
サーバ機器３０は、静止画データ、動画データ、音声データ、又はその他の電子データ等を記憶（保存）する電子機器である。本実施の形態では、これらの電子データを、単に「コンテンツ」という。サーバ機器３０の一例として、ＮＡＳ（Network Attached Storage）、又はＰＣ（Personal Computer）等が挙げられる。
【００１４】
表示機器２０ａ及び２０ｂは、サーバ機器３０が保存するコンテンツの表示を行う電子機器である。表示機器２０ａ及び２０ｂを区別しない場合、「表示機器２０」という。表示機器２０の一例として、テレビ等が挙げられる。
【００１５】
情報処理端末１０は、ユーザから入力される指示に応じ、サーバ機器３０及び表示機器２０等、ネットワークＮ１に接続されている各電子機器の制御を実行する電子機器である。情報処理端末１０の一例として、スマートフォン、タブレット型端末、携帯電話、ＰＤＡ（Personal Digital Assistance）、又は無線ＬＡＮ機能付きのデジタルカメラ等が挙げられる。
【００１６】
本実施の形態において、情報処理端末１０による各電子機器の制御は、ＤＬＮＡ（Digital Living Network Alliance）ガイドラインに準拠した手順で行われる。すなわち、情報処理端末１０は、ＤＬＮＡガイドラインにおける、ＤＭＣ（Digital Media Controller）として機能する。表示機器２０は、ＤＭＲ（Digital Media Renderer）として機能する。サーバ機器３０は、ＤＭＳ（Digital Media Server）として機能する。
【００１７】
図２は、第一の実施の形態における情報処理端末のハードウェア構成例を示す図である。図２において、情報処理端末１０は、ＲＯＭ１０１、ＲＡＭ１０２、不揮発性ＲＡＭ１０３、ＣＰＵ１０４、無線ＬＡＮ通信部１０５、デジタルカメラ１０６、表示装置１０７、及び入力装置１０８等を有する。
【００１８】
情報処理端末１０での処理を実行させるプログラムは、ＲＯＭ１０１又は不揮発性ＲＡＭ１０３にインストールされる。例えば、当該プログラムが、情報処理端末１０の出荷時に予めインストールされる場合はＲＯＭ１０１に格納されてもよい。なお、ＲＯＭ１０１や不揮発性ＲＡＭ１０３には、当該プログラム以外に、当該プログラムが用いる各種データも記憶され得る。ＲＡＭ１０２は、プログラムの起動指示があった場合に、ＲＯＭ１０１又は不揮発性ＲＡＭ１０３から読み出されたプログラム等を格納する。ＣＰＵ１０４は、ＲＡＭ１０２に格納されたプログラムに従って情報処理端末１０に係る後述される機能を実行する。無線ＬＡＮ通信部１０５は、無線ＬＡＮ通信を行うためのハードウェアである。無線ＬＡＮ通信部１０５は、例えば、無線ＬＡＮ通信用のアンテナ等を含む。デジタルカメラ１０６は、被写体の画像を撮像するハードウェアである。表示装置１０７は、プログラムによって出力される各種情報を表示させる。入力装置１０８は、ユーザからの入力指示を受け付けるタッチパネル又はボタン等である。
【００１９】
なお、表示機器２０も図２と同様の構成を有していてもよい。但し、表示機器２０における各ハードウェアの形状又は性能等は、情報処理端末１０の各ハードウェアと異なっていてもよい。また、表示機器２０は、デジタルカメラを有していなくてもよい。
【００２０】
図３は、第一の実施の形態の情報処理端末及び表示機器の機能構成例を示す図である。図３において、表示機器２０は、ＤＬＮＡ通信部２１、識別情報表示制御部２２、及びコンテンツ表示制御部２３等を有する。これら各部は、表示機器２０にインストールされた一以上のプログラムが、表示機器２０のＣＰＵに実行させる処理により実現される。
【００２１】
ＤＬＮＡ通信部２１は、ＤＬＮＡガイドラインに準拠した通信を行う。識別情報表示制御部２２は、ＤＬＮＡガイドラインに準拠した、機器の検索要求に対する応答の返信に応じて、自機の識別情報を自機の表示部（液晶画面等）に表示させる。識別情報の表示形態は、文字列であってもよいし、ＱＲコード(登録商標)等の２次元コードであってもよい。コンテンツ表示制御部２３は、ＤＬＮＡガイドラインに準拠した手順でサーバ機器３０より転送されるコンテンツの表示制御を行う。
【００２２】
一方、情報処理端末１０は、指示受付部１１、機器検索部１２、画像取得部１３、画像解析部１４、機器情報取得部１５、機器情報表示制御部１６、及び機器制御部１７等を有する。これら各部は、情報処理端末１０にインストールされた一以上のプログラムが、ＣＰＵ１０４に実行させる処理により実現される。
【００２３】
指示受付部１１は、ユーザからの指示を入力装置１０８を介して受け付ける。機器検索部１２は、ネットワークＮ１に接続されている電子機器の検索要求を、無線ＬＡＮ通信部１０５を用いて送信することにより、ネットワークＮ１を介して通信可能な電子機器を検索する。画像取得部１３は、デジタルカメラ１０６によって撮像されている画像（画像データ）を取得する。画像解析部１４は、画像取得部１３によって取得される画像を解析する。具体的には、画像解析部１４は、当該画像より、表示機器２０の識別情報を抽出する。また、画像解析部１４は、当該画像において、表示機器２０の範囲を認識する。すなわち、本実施の形態では、表示機器２０が表示させている当該表示機器２０の識別情報が、デジタルカメラ１０６によって撮像される。
【００２４】
機器情報取得部１５は、画像解析部１４によって抽出された識別情報に係る表示機器２０の詳細な属性情報（以下、「詳細情報」という。）の取得を、無線ＬＡＮ通信部１０５を用いて実行する。表示機器２０の詳細情報の取得は、ＤＬＮＡガイドラインに準拠した手順で実行される。機器制御部１７は、サーバ機器３０や表示機器２０等の電子機器の制御を、無線ＬＡＮ通信部１０５を用いて、ＤＬＮＡに準拠した手順で実行する。
【００２５】
以下、第一の実施の形態の機器制御システム１において実行される処理手順について説明する。図４は、第一の実施の形態の機器制御システムにおいて実行される処理手順の一例を説明するためのシーケンス図である。
【００２６】
ステップＳ１０１において、例えば、指示受付部１１がユーザからの指示を受け付けると、画像取得部１３は、デジタルカメラ１０６を作動させて、表示装置１０７に、撮像画像を表示させる。撮像画像とは、デジタルカメラ１０６によって撮像されている画像をいう。なお、この段階では、シャッターは押されていない。したがって、撮像画像は、デジタルカメラ１０６が向けられている方向の変化に応じて変化する。
【００２７】
続いて、ユーザからの指示入力に応じ、又は自動的に、機器検索部１２は、機器検索メッセージを無線ＬＡＮ通信部１０５を用いてネットワークＮ１に送信し、応答メッセージの返信を待機する（Ｓ１０２、Ｓ１０３）。機器検索メッセージは、機器の検索要求を示すメッセージであり、ＤＬＮＡガイドラインの手順に準拠してマルチキャストで送信される。
【００２８】
図５は、機器検索メッセージの一例を示す図である。なお、機器検索メッセージの内容は、ＤＬＮＡガイドラインに準拠したものであるため、その詳細な説明は省略する。
【００２９】
機器検索メッセージを受信した表示機器２０のＤＬＮＡ通信部２１は、自機の存在を通知するための応答メッセージを情報処理端末１０に返信する（Ｓ１０４、Ｓ１０５）。なお、図４では、サーバ機器３０は省略されているが、サーバ機器３０もＤＬＮＡガイドラインに準拠した電子機器であるため、応答メッセージを返信する。情報処理端末１０の機器検索部１２は、受信された各応答メッセージを、例えば、ＲＡＭ１０２に記憶しておく。
【００３０】
図６は、応答メッセージの一例を示す図である。図６に示される応答メッセージにおいて、記述ｄ２又はｄ３における「ＭｅｄｉａＲｅｎｄｅｒｅｒ」によって、当該応答メッセージの返信元の電子機器は、ＤＭＲであることが分かる。また、記述ｄ１は、当該電子機器の詳細情報に対するＵＲＬ（Uniform Resource Locator）である。記述ｄ４は、各電子機器を一意に識別可能なＵＵＩＤ（Universally Unique Identifier）である。本実施の形態において、ＵＵＩＤ又はＵＵＩＤを含む文字列は、電子機器の識別情報の一例である。以下、ＵＵＩＤ又はＵＵＩＤを含む文字列を「機器識別情報」という。なお、記述ｄ１におけるＵＲＬが、機器識別情報として用いられてもよい。
【００３１】
各表示機器２０の識別情報表示制御部２２は、機器検索メッセージの受信又は応答メッセージの返信に応じて、当該表示機器２０の表示部に機器識別情報を表示させる（Ｓ１０６、Ｓ１０７）。
【００３２】
図７は、表示機器による機器識別情報の表示例を示す図である。図７では、機器識別情報がＱＲコードの形式で表示されている例が示されている。なお、機器識別情報は、ＱＲコード等の２次元コードに変換されて表示されなくてもよい。例えば、機器識別情報は、文字列のまま表示されてもよい。または、機器識別情報は、情報処理端末１０が解釈可能な他の形式の画像又は文字列等に変換されて、表示されてもよい。
【００３３】
ユーザは、コンテンツの再生先としたい表示機器２０に表示されている機器識別情報を、情報処理端末１０のデジタルカメラ１０６によって撮像する。
【００３４】
図８は、情報処理端末のデジタルカメラによって機器識別情報が撮像されている状態の一例を示す図である。ここでは、必ずしもシャッターが押されていなくてもよい。表示機器２０に表示されている機器識別情報の画像が、デジタルカメラ１０６を介して情報処理端末１０内に取り込み可能な状態であればよい。
【００３５】
続いて、画像解析部１４は、画像取得部１３によって取得される撮像画像の解析処理を実行する（Ｓ１０８）。具体的には、画像解析部１４は、撮像画像より機器識別情報の文字列を抽出する。撮像画像からの機器識別情報の文字列の抽出は、機器識別情報が文字列として表示されている場合は、ＯＣＲ（Optical Character Recognition）技術等が用いられてもよい。また、機器識別情報が２次元コードによって表示されている場合は、２次元コードの解析技術等が用いられてもよい。以下、「機器識別情報」というとき、機器識別情報を示す文字列をいう。更に、画像解析部１４は、例えば、機器識別情報を囲む矩形等を認識することにより、撮像画像上における表示機器２０の範囲を特定する。表示機器２０の範囲の特定は、後段におけるユーザによるタッチ操作において、表示機器２０がタッチされたことを検知するために行われる。
【００３６】
続いて、機器制御部１７は、無線ＬＡＮ通信部１０５を用いて、各表示機器２０に対して、識別情報消去メッセージを送信する（Ｓ１０９、Ｓ１１０）。各表示機器２０の識別情報表示制御部２２は、識別情報消去メッセージの受信に応じ、機器識別情報の表示を停止する（Ｓ１１１、Ｓ１１２）。なお、各表示機器２０は、識別情報消去メッセージが受信されなくても、機器識別情報の表示開始時期から所定時間経過後に自動的に機器識別情報の表示を停止するようにしてもよい。この場合、機器制御部１７は、識別情報消去メッセージを送信しなくてもよい。
【００３７】
続いて、機器情報取得部１５は、ＲＡＭ１０２に記憶されている応答メッセージの中から、撮像画像より抽出された機器識別情報に含まれているＵＵＩＤを含む応答メッセージを検索する。機器情報取得部１５は、該当する応答メッセージの記述ｄ１に含まれているＵＲＬ宛に、無線ＬＡＮ通信部１０５を用いて、ＤＬＮＡガイドラインに準拠した手順で、詳細情報の取得要求を送信する（Ｓ１１３）。すなわち、詳細情報の取得要求は、デジタルカメラ１０６によって撮像された表示機器２０に対して送信される。図４では、表示機器２０ａが撮像された場合を想定する。したがって、表示機器２０ａに対して詳細情報の取得要求が送信される。
【００３８】
当該取得要求を受信した表示機器２０ａのＤＬＮＡ通信部２１は、自機に関する詳細情報を、ＤＬＮＡガイドラインに準拠した手順で返信する（Ｓ１１４）。
【００３９】
図９は、詳細情報の例を示す図である。詳細情報の構成は、ＤＬＮＡガイドラインに準拠したものであるため、その説明は省略する。
【００４０】
続いて、機器情報表示制御部１６は、取得された詳細情報の一部を、撮像画像に合成して表示装置１０７に表示させる（Ｓ１１５）。例えば、図９におけるｆｒｉｅｎｄｌｙＮａｍｅ要素ｅ１の値（「表示機器Ａ」）が表示対象とされてもよい。ｆｒｉｅｎｄｌｙＮａｍｅ要素ｅ１の値は、比較的ユーザにとって分かりやすい名前だからである。但し、ｆｒｉｅｎｄｌｙＮａｍｅ要素ｅ１の値は、電子機器ごとに一意であるとは限らない。なお、詳細情報に含まれる他の情報が撮像画像に合成されてもよい。
【００４１】
図１０は、撮像画像に対する詳細情報の合成例を示す図である。図１０では、ｆｒｉｅｎｄｌｙＮａｍｅ要素ｅ１の値が、撮像画像に合成されている例が示されている。ユーザは、図１０に示されるような画面を参照して、例えば、コンテンツの再生先としたい表示機器２０の識別名を容易に把握することができる。
【００４２】
なお、図１０の状態においても、まだシャッターは押されていなくてもよい。
【００４３】
その後、例えば、表示装置１０７に表示されている撮像画像上において、ユーザによって表示機器２０がタッチされると、機器制御部１７は、画像解析部１４によって抽出された機器識別情報に係る表示機器２０に対して、ＤＬＮＡに準拠した手順で、サーバ機器３０が記憶するコンテンツの表示要求等を送信してもよい。または、コンテンツの表示要求は、ユーザによるタッチを待機することなく、撮像画像からの機器識別情報の抽出に応じて自動的に送信されてもよい。この場合、機器識別情報を表示させている表示機器２０をデジタルカメラ１０６によって撮像すると、自動的に再生が開始されるような操作性をユーザに提供することができる。
【００４４】
続いて、図４において情報処理端末１０が実行する処理手順について説明する。図１１は、第一の実施の形態の情報処理端末が実行する処理手順の一例を説明するためのフローチャートである。図１１における各ステップは、図４において説明したステップと重複する。したがって、図１１において、各ステップの説明は適宜簡略化される。
【００４５】
ステップＳ２０１において、画像取得部１３は、デジタルカメラ１０６を作動させて、表示装置１０７に、撮像画像を表示させる。続いて、機器検索部１２は、機器検索メッセージを送信する（Ｓ２０２）。続いて、機器検索部１２は、機器検索メッセージに対する応答メッセージを受信し、ＲＡＭ１０２に記憶する（Ｓ２０３）。
【００４６】
この段階において、各表示機器２０には機器識別情報が表示されている。また、ユーザが制御対象としたい表示機器２０が、デジタルカメラ１０６によって撮像される。
【００４７】
そこで、画像解析部１４は、画像取得部１３によって取得される撮像画像の解析処理を実行する（Ｓ２０４）。その結果、撮像画像より機器識別情報が抽出される。また、撮像画像において、表示機器２０の範囲が特定される。
【００４８】
続いて、機器制御部１７は、各表示機器２０に対して、識別情報消去メッセージを送信する（Ｓ２０５）。続いて、機器情報取得部１５は、ＲＡＭ１０２に記憶されている応答メッセージの中から、撮像画像より抽出された機器識別情報に含まれているＵＵＩＤを含む応答メッセージを検索する（Ｓ２０６）。
【００４９】
続いて、機器情報取得部１５は、該当する応答メッセージに含まれている、詳細情報のＵＲＬ宛に、詳細情報の取得要求を送信することにより、詳細情報を取得する（Ｓ２０７）。続いて、機器情報表示制御部１６は、取得された詳細情報の一部を、撮像画像に合成して表示装置１０７に表示させる（Ｓ２０８）。
【００５０】
上述したように、第一の実施の形態における情報処理端末１０は、撮像画像より抽出される機器識別情報に基づいて、ユーザが制御対象としたい電子機器を特定することができる。したがって、ユーザは、デジタルカメラ１０６によって表示機器２０を撮像することで、制御対象としたい表示機器２０の情報を得たり、当該表示機器２０を制御対象としたりすることができる。その結果、ネットワークを介して制御対象とする電子機器の特定作業を容易化することができる。
【００５１】
すなわち、表示機器２０の詳細情報が撮像画像に合成されて表示されることにより、ＡＲ（Augmented Reality：拡張現実）技術を利用したユーザインタフェースを提供することができる。ユーザは、斯かる撮像画像に含まれている表示機器２０の画像を直接選択することにより、容易に所望の表示機器２０を制御対象とすることができる。
【００５２】
次に、第二の実施の形態について説明する。第二の実施の形態では第一の実施の形態と異なる点について説明する。したがって、特に言及されない点については、第一の実施の形態と同様でもよい。
【００５３】
図１２は、第二の実施の形態の情報処理端末及び表示機器の機能構成例を示す図である。図１２中、図３と同一部分には同一符号を付し、その説明は省略する。
【００５４】
図１２において、情報処理端末１０は、識別画像生成部１８を更に有する。識別画像生成部１８は、機器識別情報を含む画像データを生成する。
【００５５】
一方、第二の実施の形態の表示機器２０は、識別情報表示制御部２２を有さない。
【００５６】
以下、第二の実施の形態の機器制御システム１において実行される処理手順について説明する。図１３は、第二の実施の形態の機器制御システムにおいて実行される処理手順の一例を説明するためのシーケンス図である。
【００５７】
ステップＳ３０１〜Ｓ３０４は、図４のステップＳ１０１〜Ｓ１０４と同様である。
【００５８】
ステップＳ３０５において、情報処理端末１０の機器情報取得部１５は、表示機器２０ａからの応答メッセージの受信に応じ、当該応答メッセージに含まれている、詳細情報のＵＲＬ宛に、詳細情報の取得要求を送信する。詳細情報の取得要求は、無線ＬＡＮ通信部１０５を用いて、ＤＬＮＡガイドラインに準拠した手順で送信される。当該取得要求を受信した表示機器２０ａのＤＬＮＡ通信部２１は、自機に関する詳細情報を、ＤＬＮＡガイドラインに準拠した手順で返信する（Ｓ３０６）。機器情報取得部１５は、受信された詳細情報を、例えば、ＲＡＭ１０２に記憶しておく。
【００５９】
続いて、情報処理端末１０の識別画像生成部１８は、返信された詳細情報又は応答メッセージに含まれているＵＵＩＤを含む機器識別情報が埋め込まれた画像データを生成する（Ｓ３０７）。以下、当該画像データを「識別画像」という。識別画像には、文字列の形式で機器識別情報が含まれていてもよいし、２次元コードの形式で機器識別情報が含まれていてもよい。または、機器識別情報は、情報処理端末１０が解釈可能な他の形式の画像又は文字列に変換された状態で識別画像に含まれてもよい。
【００６０】
続いて、情報処理端末１０の機器制御部１７は、無線ＬＡＮ通信部１０５を用いて、ＤＬＮＡガイドラインに準拠した手順で、識別画像の表示要求と共に、識別画像を表示機器２０ａに送信する（Ｓ３０８）。表示機器２０ａにおいて、ＤＬＮＡ通信部２１によって当該表示要求が受信されると、コンテンツ表示制御部２３は、識別画像を表示機器２０ａの表示部に表示させる（Ｓ３０９）。すなわち、識別画像の転送は、ＤＬＮＡガイドラインに準拠したコンテンツの転送として実行される。したがって、識別画像の表示は、ＤＬＮＡガイドラインに準拠した手順でコンテンツを表示させる、コンテンツ表示制御部２３によって実行可能となる。斯かる理由により、第二の実施の形態では、各表示機器２０は、識別情報表示制御部２２を有している必要はないのである。すなわち、第二の実施の形態において、各表示機器２０は、ＤＬＮＡガイドラインに準拠していれば、本実施の形態に対応した固有の機能を有している必要はない。
【００６１】
なお、表示機器２０ｂに関しても、ステップＳ３０４〜Ｓ３０８と同様の処理が実行される。その結果、表示機器２０ｂのコンテンツ表示制御部２３は、自機の機器識別情報を含む識別画像を表示部に表示させる（Ｓ３１０）。
【００６２】
ステップＳ３１１以降は、図４のステップＳ１０８以降と同様でよい。但し、詳細情報は既に取得されているため、ステップＳ１１３及びＳ１１４に対応する処理は実行されなくてもよい。また、ステップＳ３１２及びＳ３１３における識別画像消去メッセージの送信は、ＤＬＮＡガイドラインに準拠した、コンテンツの表示の停止要求として送信されればよい。その結果、各表示機器２０のコンテンツ表示制御部２３は、ＤＬＮＡガイドラインに準拠した手順で、識別画像の表示を停止する（Ｓ３１４、Ｓ３１５）。
【００６３】
なお、情報処理端末１０が表示機器２０の詳細情報を取得するタイミングは、第一の実施の形態と同様でもよい。すなわち、必ずしも識別画像の生成の前に詳細情報は取得されなくてもよい。ＵＵＩＤは、機器検索メッセージに対する応答メッセージに含まれているからである。
【００６４】
続いて、図１３において情報処理端末１０が実行する処理手順について説明する。図１４は、第二の実施の形態の情報処理端末が実行する処理手順の一例を説明するためのフローチャートである。図１４における各ステップは、図１３において説明したステップと重複する。したがって、図１４において、各ステップの説明は適宜簡略化される。
【００６５】
ステップＳ４０１〜Ｓ４０３は、図１１のステップＳ２０１〜Ｓ２０３と同様である。
【００６６】
応答メッセージの受信に応じ、機器情報取得部１５は、当該応答メッセージに含まれている、詳細情報のＵＲＬ宛に、詳細情報の取得要求を送信することにより、当該応答メッセージの返信元の表示機器２０の詳細情報を取得する（Ｓ４０４）。続いて、識別画像生成部１８は、当該表示機器２０に対応する識別画像を生成する（Ｓ４０５）。続いて、機器制御部１７は、識別画像を当該表示機器２０に送信する（Ｓ４０６）。その結果、当該表示機器２０において識別画像が表示される。なお、ステップＳ４０３〜Ｓ４０６は、各表示機器２０に関して実行される。
【００６７】
ステップＳ４０７以降は、図１１のステップＳ２０４以降と同様である。但し、ステップＳ２０７に対応する処理は不要である。
【００６８】
上述したように、第二の実施の形態においても、第一の実施の形態と同様の効果を得ることができる。更に、第二の実施の形態によれば、表示機器２０に対する実装を簡略化することができる。
【００６９】
なお、第一の実施の形態と第二の実施の形態とは、選択的又は排他的な関係ではなく、同時に実施されてもよい。
【００７０】
具体的には、情報処理端末１０は、機器識別情報の表示機能を有している表示機器２０には、第一の実施の形態の処理手順を適用し、機器識別情報の表示機能を有していない表示機器２０には、第二の実施の形態の処理手順を適用するようにしてもよい。機器表示機能を有しているか否かは、識別情報表示制御部２２を有しているか否かと同義である。
【００７１】
そのためには、情報処理端末１０が、各表示機器２０について、識別情報表示制御部２２を有しているか否かを識別可能とする必要がある。そこで、例えば、識別情報表示制御部２２を有している表示機器２０は、機器検索メッセージに対して、図１５に示されるような応答メッセージを返信するようにしてもよい。
【００７２】
図１５は、機器識別情報の表示機能を有することを示す応答メッセージの一例を示す図である。
【００７３】
図１５に示される応答メッセージにおいて、「ＤＩＳＰＬＡＹ−ＵＵＩＤ：ｔｒｕｅ」という記述ｄ５は、当該表示機器２０が、機器識別情報の表示機能を有することを示す。
【００７４】
したがって、情報処理端末１０は、記述ｄ５が含まれている応答メッセージを返信した表示機器２０に対しては、機器識別情報の表示を要求し、記述ｄ５が含まれていない応答メッセージを返信した表示機器２０に対しては、識別画像を送信するようにしてもよい。
【００７５】
なお、上記各実施の形態では、電子機器の相互接続の仕組みとして、ＤＬＮＡガイドラインに準拠した例を説明したが、ＤＬＮＡガイドライン以外の電子機器の相互接続の仕様又は規格が利用される場合に、本実施の形態が適用されてもよい。
【００７６】
また、上記各実施の形態において、機器検索部１２は、検索部の一例である。機器制御部１７は、送信部の一例である。デジタルカメラ１６は、撮像部の一例である。画像解析部１４は、抽出部の一例である。識別画像生成部１８は、生成部の一例である。機器情報取得部１５は、取得部の一例である。サーバ機器３０は、記憶装置の一例である。
【００７７】
以上、本発明の実施例について詳述したが、本発明は斯かる特定の実施形態に限定されるものではなく、特許請求の範囲に記載された本発明の要旨の範囲内において、種々の変形・変更が可能である。
【００７８】
以上の説明に関し、更に以下の項を開示する。
（付記１）
ネットワークを介して通信可能な表示機器の識別情報を検索する検索部と、
検索された表示機器に、当該表示機器の識別情報の表示要求を送信する送信部と、
前記表示要求に応じた表示機器の表示部に表示された前記識別情報の画像を撮像する撮像部と、
前記画像より前記識別情報を抽出する抽出部とを有する情報処理端末。
（付記２）
前記識別情報を含む画像データを生成する生成部を有し、
前記送信部は、前記画像データの表示要求を送信する付記１記載の情報処理端末。
（付記３）
前記抽出部によって抽出される前記識別情報に係る表示機器より、当該表示機器の属性情報を取得する取得部と、
取得された属性情報を前記撮像部によって撮像される画像に合成して当該情報処理端末に表示させる表示制御部とを有する付記１又は２記載の情報処理端末。
（付記４）
前記送信部は、前記抽出部によって抽出される前記識別情報に係る表示機器に対して、ネットワークを介して通信可能な記憶装置が記憶するデータの表示要求を送信する付記１乃至３いずれか一項記載の情報処理端末。
（付記５）
ネットワークを介して通信可能な表示機器の識別情報を検索し、
検索された表示機器に、当該表示機器の識別情報の表示要求を送信し、
前記表示要求に応じた表示機器の表示部に表示された前記識別情報の画像を撮像し、
前記画像より前記識別情報を抽出する処理を情報処理端末が実行する情報処理方法。
（付記６）
前記識別情報を含む画像データを生成し、
前記送信する処理は、前記画像データの表示要求を送信する付記５記載の情報処理方法。
（付記７）
前記抽出する処理において抽出される前記識別情報に係る表示機器より、当該表示機器の属性情報を取得し、
取得された属性情報を前記撮像部によって撮像される画像に合成して当該情報処理端末に表示させる処理を前記情報処理端末が実行する付記５又は６記載の情報処理方法。
（付記８）
前記抽出する処理によって抽出される前記識別情報に係る表示機器に対して、ネットワークを介して通信可能な記憶装置が記憶するデータの表示要求を送信する処理を前記情報処理端末が実行する付記５乃至７いずれか一項記載の情報処理方法。
（付記９）
情報処理端末と、前記情報処理端末とネットワークを介して通信可能な表示機器とを含む機器制御システムであって、
ネットワークを介して通信可能な表示機器の識別情報を検索する検索部と、
検索された表示機器に、当該表示機器の識別情報の表示要求を送信する送信部と、
前記表示要求に応じた表示機器の表示部に表示された前記識別情報の画像を撮像する撮像部と、
前記画像より前記識別情報を抽出する抽出部とを有する機器制御システム。
（付記１０）
前記情報処理端末は、
前記識別情報を含む画像データを生成する生成部を有し、
前記送信部は、前記画像データの表示要求を送信する付記９記載の機器制御システム。
（付記１１）
前記情報処理端末は、
前記抽出部によって抽出される前記識別情報に係る表示機器より、当該表示機器の属性情報を取得する取得部と、
取得された属性情報を前記撮像部によって撮像される画像に合成して当該情報処理端末に表示させる表示制御部とを有する付記９又は１０記載の機器制御システム。
（付記１２）
前記送信部は、前記抽出部によって抽出される前記識別情報に係る表示機器に対して、ネットワークを介して通信可能な記憶装置が記憶するデータの表示要求を送信する付記９乃至１１いずれか一項記載の機器制御システム。
【符号の説明】
【００７９】
１            機器制御システム
１０          情報処理端末
１１          指示受付部
１２          機器検索部
１３          画像取得部
１４          画像解析部
１５          機器情報取得部
１６          機器情報表示制御部
１７          機器制御部
１８          識別画像生成部
２０          表示機器
２１          ＤＬＮＡ通信部
２２          識別情報表示制御部
２３          コンテンツ表示制御部
３０          サーバ機器
４０          アクセスポイント
１０１        ＲＯＭ
１０２        ＲＡＭ
１０３        不揮発性ＲＡＭ
１０４        ＣＰＵ
１０５        無線ＬＡＮ通信部
１０６        デジタルカメラ
１０７        表示装置
１０８        入力装置
【図１】
2014068206.tif 000003
【図２】
2014068206.tif 000004
【図３】
2014068206.tif 000005
【図４】
2014068206.tif 000006
【図５】
2014068206.tif 000007
【図６】
2014068206.tif 000008
【図７】
2014068206.tif 000009
【図８】
2014068206.tif 000010
【図９】
2014068206.tif 000011
【図１０】
2014068206.tif 000012
【図１１】
2014068206.tif 000013
【図１２】
2014068206.tif 000014
【図１３】
2014068206.tif 000015
【図１４】
2014068206.tif 000016
【図１５】
2014068206.tif 000017